(57)【要約】      （修正有）【課題】テレワーク等の作業に適した空間を、家屋の部屋に簡易かつ自由に形成可能とする部屋構造を提供する。【解決手段】部屋構造は、家屋１の部屋を構成する一の壁面部１ａ〜１ｄに対向してこの部屋内部に設けられた第１仕切り板部２と、第１仕切り板部の一の壁面部側に設けられ、部屋を構成する床面部の上方であって、使用者が第１仕切り板部に向かって着座した状態で作業可能な高さ位置に配置されたテーブル板部４と、テーブル板部に対して幅方向一端側に設けられ、第１仕切り板部とともにテーブル板部を囲む第２仕切り板部３とを備える。部屋内部の空間は、一の壁面部に対向する他の壁面部と第１仕切り板部との間に形成される主空間Ｓｍと、一の壁面部と第１仕切り板部および第２仕切り板部との間に形成される副空間Ｓｔとに画成される。【選択図】図１
0003231592.tif 000002
【実用新案登録請求の範囲】
【請求項１】
家屋の部屋を構成する一の壁面部に対向して前記部屋内部に設けられた第１仕切り板部と、
前記第１仕切り板部の前記一の壁面部側に設けられ、前記部屋を構成する床面部の上方であって、使用者が前記第１仕切り板部に向かって着座した状態で作業可能な高さ位置に配置されたテーブル板部と、
前記テーブル板部に対して幅方向一端側に設けられ、前記第１仕切り板部とともに前記テーブル板部を囲む第２仕切り板部とを備え、
前記部屋内部の空間は、前記一の壁面部に対向する他の壁面部と前記第１仕切り板部との間に形成される主空間と、前記一の壁面部と前記第１仕切り板部および前記第２仕切り板部との間に形成される副空間とに画成されることを特徴とする部屋構造。
【請求項２】
前記第１仕切り板部は、前記第１仕切り板部に向かって着座した状態の前記使用者の正面への視線を遮ることができるとともに、前記部屋を構成する天井部との間に空隙が形成される高さ寸法を有することを特徴とする、請求項１に記載の部屋構造。
【請求項３】
前記第１仕切り板部は、平面視でＬ字形状に形成され、前記テーブル板部の奥行き方向の前縁部と、前記テーブル板部の幅方向他端側の端部とに当接して設けられていることを特徴とする、請求項１または２に記載の部屋構造。
【請求項４】
前記第２仕切り板部は、前記床面部と前記部屋を構成する天井部との間に亘って設けられるとともに、前記第１仕切り板部の前記幅方向一端側の端部に当接して設けられ、
前記第２仕切り板部と前記一の壁面部との間に、前記使用者の前記副空間への出入り用の開口部が形成されていることを特徴とする、請求項１に記載の部屋構造。
【請求項５】
前記第１仕切り板部または前記第２仕切り板部は、その少なくとも一部が有孔ボードにより形成されていることを特徴とする、請求項１に記載の部屋構造。
【請求項６】
前記テーブル板部は、前記奥行き方向に対して前記幅方向に長い長方形状に形成されていることを特徴とする、請求項１に記載の部屋構造。
【請求項７】
前記部屋は、前記家屋のリビングルームであることを特徴とする、請求項１に記載の部屋構造。
【考案の詳細な説明】
【技術分野】
【０００１】
本考案は、テレワーク等の作業に適した空間を有する部屋構造に関する。
【背景技術】
【０００２】
テレワークの推進に関する要請が存在する。
【０００３】
新型コロナウィルスの感染拡大を背景に、この要請が顕著である。
【先行技術文献】
【特許文献】
【０００４】
【特許文献１】特許第４７５６８９３号公報
【考案の概要】
【考案が解決しようとする課題】
【０００５】
現在の住宅における部屋、例えば、リビングルームには、専用のテレワークスペースまたはテレワーク等の作業に使用されることが想定された空間がなく、作業中に家族の生活からの分離が充分にできないという問題がある。
【０００６】
昨今の住宅事情のもと、テレワーク専用の部屋を設けることは、必ずしも容易なことではない。
【０００７】
前掲特許文献１には、部屋を居室部、収納部および小部屋に分け、小部屋に化粧台と鏡とを設置することで、この小部屋を化粧コーナーとして利用可能とすることが開示されている。
【０００８】
しかし、前掲特許文献１の技術は、部屋の収納部に隣接する空間を利用して、換言すれば、収納部に付随する空間として、居室部とは別個の小部屋を設けるものであり、小部屋の広さおよび形状は、収納部に依存する。よって、この技術は、テレワーク等の作業に適した空間を、他の空間による制約を受けることなく、簡易かつ自由に設けられるようにしたいという要請に充分に応えられるものではない。
【０００９】
このような実情に鑑み、本考案は、テレワーク等の作業に適した空間を、家屋の部屋に簡易かつ自由に形成可能とすることを目的とする。
【課題を解決するための手段】
【００１０】
本考案の一形態に係る部屋構造は、家屋の部屋を構成する一の壁面部に対向してこの部屋内部に設けられた第１仕切り板部と、第１仕切り板部の一の壁面部側に設けられ、部屋を構成する床面部の上方であって、使用者が第１仕切り板部に向かって着座した状態で作業可能な高さ位置に配置されたテーブル板部と、テーブル板部に対して幅方向一端側に設けられ、第１仕切り板部とともにテーブル板部を囲む第２仕切り板部とを備え、部屋内部の空間は、一の壁面部に対向する他の壁面部と第１仕切り板部との間に形成される主空間と、一の壁面部と第１仕切り板部および第２仕切り板部との間に形成される副空間とに画成されることを特徴とする。
【００１１】
他の形態では、第１仕切り板部は、この第１仕切り板部に向かって着座した状態の使用者の正面への視線を遮ることができるとともに、部屋を構成する天井部との間に空隙が形成される高さ寸法を有することを特徴とする。
【００１２】
更に別の形態では、第１仕切り板部は、平面視でＬ字形状に形成され、テーブル板部の奥行き方向の前縁部と、テーブル板部の幅方向他端側の端部とに当接して設けられていることを特徴とする。
【００１３】
更に別の形態では、第２仕切り板部は、床面部と部屋を構成する天井部との間に亘って設けられるとともに、第１仕切り板部の幅方向一端側の端部に当接して設けられ、第２仕切り板部と一の壁面部との間に、使用者の副空間への出入り用の開口部が形成されていることを特徴とする。
【００１４】
更に別の形態では、第１仕切り板部または第２仕切り板部は、その少なくとも一部が有孔ボードにより形成されていることを特徴とする。
【００１５】
更に別の形態では、テーブル板部は、奥行き方向に対して幅方向に長い長方形状に形成されていることを特徴とする。
【００１６】
更に別の形態では、部屋は、家屋のリビングルームであることを特徴とする。
【考案の効果】
【００１７】
本考案によれば、家屋の部屋の一の壁面部に対してこの部屋の内方側に、第１仕切り板部と第２仕切り板部とにより部屋の主空間から隔てられた副空間が形成される。つまり、主空間は、一の壁面部に対向する他の壁面部と第１仕切り板部との間に形成される空間として、副空間は、一の壁面部と第１および第２仕切り板部との間に形成される空間として、夫々画成される。
そして、この副空間が主空間から隔てられていることにより、作業時における家族の生活からの分離が促進される。さらに、副空間は、部屋の壁面部とは別個に設置される第１および第２仕切り板部により、部屋のなかの他の空間（主空間を除く）に依存することなく設けられる。よって、テレワーク等の作業に適した空間を、家屋の部屋に簡易かつ自由に形成することが可能となる。
【００１８】
他の形態によれば、着座した状態にある使用者の視線が第１仕切り板部により遮蔽されるため、作業中の使用者に落ち着きを与えるとともに、使用者の集中力の増大を図ることが可能である。
【００１９】
さらに、使用者の視線よりも上方に主空間に通じる空隙が形成されるため、副空間の換気性を確保するとともに、主空間にいる家族との適度なコミュニケーションを維持することが可能となる。
【００２０】
更に別の形態によれば、副空間のうち、特にテーブル板部が平面視でＬ字形状をなす第１仕切り板部と第２仕切り板部とにより三方から包囲されるため、副空間の独立性を適度に高め、作業における効率の向上を図ることが可能である。
【００２１】
更に別の形態によれば、部屋の床面部から天井部に亘って設けられる第２仕切り板部により、副空間がより個室に近い状態となるため、家族の生活からの分離の更なる促進を図ることが可能である。
【００２２】
そして、第２仕切り板部と部屋の一の壁面部との間に開口部が形成されるため、使用者は、この開口部を出入り口として利用し、副空間に入ったり、副空間から出たりすることが可能である。
【００２３】
更に別の形態によれば、第１仕切り板部または第２仕切り板部のうち、有孔ボートにより形成された部分を小物掛けとして使用することが可能であるため、副空間の利便性を高めることができる。
【００２４】
更に別の形態によれば、テーブル板部が作業用の机としてより使い勝手のよいものとなるため、副空間の利便性を高めることができる。
【００２５】
更に別の形態によれば、テレワーク等の作業に適した空間がリビングルームに設けられるため、作業中に家族の気配を感じることを可能としながら、家族の生活からの分離を図ることができる。
【図面の簡単な説明】
【００２６】
【図１】図１は、本考案の一実施形態に係る部屋構造を示す平面図（部屋のレイアウト図）である。
【図２】図２は、同上実施形態に係る部屋構造の、図１に示すＡ方向の矢視図である。
【図３】図３は、同上実施形態に係る部屋構造の、図１に示すＢ方向の矢視図である。
【図４】図４は、本考案の他の実施形態に係る部屋構造の、図１に示すＡ方向と同じ方向の矢視図である。
【考案を実施するための形態】
【００２７】
以下に図面を参照して、本考案の実施の形態について説明する。
【００２８】
図１は、本考案の一実施形態に係る部屋構造を示す平面図であり、この部屋構造を有する部屋Ｒのレイアウト図である。
【００２９】
図２は、本実施形態に係る部屋構造の、図１に示すＡ方向の矢視図であり、図３は、図１に示すＢ方向の矢視図である。図２および３を適宜に参照しながら、主に図１により、本実施形態に係る部屋構造について説明する。
【００３０】
部屋Ｒは、家屋１に備わる複数の部屋のうちの１つであり、本実施形態では、リビングルームである。家屋１は、リビングルームのほか、ダイニングルーム、キッチン、浴室、寝室および他の居室を備える。ただし、部屋Ｒの用途は、リビングルームに限定されるものではない。家屋１は、例えば、戸建ての住戸であり、マンション等の集合住宅であってもよい。
【００３１】
部屋Ｒは、複数の家具５１〜５４を備える。家具の第１は、例えば、ソファ５１であり、第２は、例えば、センターテーブル５２であり、第３は、例えば、テレビ５３およびテレビ台５４である。これらの家具５１〜５４とは異なる他の家具を設けることも可能である。
【００３２】
部屋Ｒは、家屋１の壁面部１ａ〜１ｃにより三方を包囲され、これら三方、つまり、図１の紙面に向かって左方、下方および右方の壁面部１ａ〜１ｃにより画成される。左方の壁面部１ａは、本実施形態に係る「一の壁面部」に相当し、右方の壁面部１ｃは、本実施形態に係る「他の壁面部」に相当する。壁面部１ａ〜１ｃは、例えば、板部材により具現することが可能であり、図示しない柱部材とともに、家屋１に強度を付与する構造材となる。
【００３３】
残る上方の壁面部１ｄは、一部が開放され、この第１開口部を通じて隣接する他の部屋に出入りすることが可能である。他の部屋は、例えば、ダイニングルームまたはキッチンである。壁面部１ｄは、壁面部１ａに近い他の一部も開放され、この第２開口部は、上階または下階へ通じる階段１１への連絡口となる。
【００３４】
本実施形態において、部屋Ｒは、テレワークに適するかまたはテレワーク専用の副空間として、テレワークスペースＳｔを備える。
【００３５】
以下の説明では、テレワークスペースＳｔをテレワークに用いることとするが、テレワークスペースＳｔは、他の用途、例えば、使用者本人の仕事以外の作業に用いたり、家族の勉強（例えば、子どもの勉強）または趣味（例えば、配偶者の趣味）に用いたりすることも可能である。
【００３６】
テレワークスペースＳｔは、壁面部１ａ、第１仕切り板部２および第２仕切り板部３により、部屋Ｒの一部の空間として画成される。
【００３７】
壁面部１ａは、家屋１の外壁部を構成し、回転戸式または引き戸式に開閉可能な窓１２を有する。
【００３８】
本実施形態では、壁面部１ａは、テレワークスペースＳｔの外縁、つまり、テレワークスペースＳｔと部屋Ｒの他の空間としての主空間Ｓｍの境界に沿って部屋Ｒの内方側へ延びる延在部を有し、この延在部を含む壁面部１ａのＬ字形状部分と壁面部１ｂの一部とにより画成される空間に、天板部１３が設置される。天板部１３は、作業用の机として使用することが可能であるとともに、置き台として使用することもできる。
【００３９】
第１仕切り板部２は、壁面部１ａよりも部屋Ｒの内方側に、壁面部１ａ、特にその内面から離れた位置に設けられ、部屋Ｒ内部の空間を、この第１仕切り板部２および後に述べる第２仕切り板部３を境界として、壁面部１ａから離れた主空間Ｓｍと、壁面部１ａに近い副空間と、に隔てる。テレワークスペースＳｔは、この副空間として形成される。
【００４０】
第１仕切り板部２に対して壁面部１ａ側に、テーブル板部４が設けられる。
【００４１】
テーブル板部４は、部屋Ｒを構成する床面部Ｒｆの上方に、床面部Ｒｆに対して平行に設けられ、使用者が、このテーブル板部４に付随して設けられる椅子５に、第１仕切り板部２に向かって着座した状態で作業可能な高さ位置に配置される。この高さ位置は、例えば、椅子５に着座した状態にある使用者の腰に近い位置であり、天板部１３の高さ位置にほぼ等しい。
【００４２】
さらに、テーブル板部４は、奥行き方向Ｄ（図３参照）に対して幅方向Ｗ（図２参照）に長い長方形状をなし、その幅方向Ｗの寸法は、天板部１３の幅方向の寸法よりも短い。テーブル板部４の奥行き方向Ｄの前縁部、つまり、テーブル板部４の奥行き方向Ｄの端部のうち、着座した状態の使用者から遠い端部が、第１仕切り板部２の側面に突き当てられている。
【００４３】
第２仕切り板部３は、テーブル板部４の幅方向Ｗ一端側に設けられ、第１仕切り板部２とともにテーブル板部４を囲み、テレワークスペースＳｔ、特にテーブル板部４が内包される空間を画成する。ここで、テーブル板部４の幅方向Ｗ一端側の端部（一端部）は、第２仕切り板部３の側面に突き当てられている。
【００４４】
本実施形態において、第１仕切り板部２は、第１仕切り壁２に向かって椅子５に着座した状態にある使用者の正面への視線を遮るとともに、部屋Ｒを構成する天井部Ｒｃとの間に空隙Ｇが形成される高さ寸法ｈ（図２参照）を有する。この空隙Ｇは、使用者が起立した場合にテレワークスペースＳｔ外の主空間Ｓｍを見渡すことを可能とする開口面積を有する。使用者は、空隙Ｇを介して主空間Ｓｍにいる家族との適度なコミュニケーションを図ることが可能である。
【００４５】
さらに、第１仕切り板部２は、平面視でＬ字形状をなし、その側面に対し、テーブル板部４のうち、奥行き方向Ｄの前端部が突き当てられるとともに、幅方向Ｗ他端側の端部（他端部）が突き当てられている。これにより、テーブル板部４は、Ｌ字形状の第１仕切り板部２と第２仕切り板部３とにより、三方を包囲された状態にある。
【００４６】
第２仕切り板部３は、部屋Ｒの床面部Ｒｆと天井部Ｒｃとの間に亘って、換言すれば、床面部Ｒｆから天井部Ｒｃにかけて設けられ、その側面に対し、テーブル板部４の幅方向Ｗの一端部が突き当てられている。
【００４７】
本実施形態において、第２仕切り板部３は、テーブル板部４の奥行き方向Ｄの寸法とほぼ等しい寸法の幅を有し、テレワークスペースＳｔを画成する壁面部１ａの延在部と第２仕切り板部３との間に、上下に長い開口部Ｐが形成される（図３参照）。この開口部Ｐは、テレワークスペースＳｔに出入りしようとする使用者の出入り口となるものである。
【００４８】
本実施形態では、テレワークスペースＳｔに関して開口部Ｐの反対側、つまり、第１仕切り板部２の他端部と壁面部１ａとの間にも開口部が設けられ、テレワークスペースＳｔに対し、２方向から出入りすることが可能である。換言すれば、開口部Ｐとその反対側の開口部とにより、テレワークスペースＳｔと主空間Ｓｍとの間に、回遊可能な動線が形成される。
【００４９】
さらに、第１仕切り板部２は、有孔ボード２１が組み込まれ、つまり、第１仕切り板部２の一部が、有孔ボード２１により形成されている。有孔ボード２１は、第１仕切り板部２に向かって作業を行う使用者の閉塞感を緩和するとともに、テレワークスペースＳｔでの作業に関連する小物をかけるための小物掛けとなり得るものである（図３参照）。
【００５０】
本実施形態では、第１仕切り板部２のうち、Ｌ字形状の短辺部に有孔ボード２１が組み込まれる。有孔ボード２１が組み込まれる部位は、Ｌ字形状の短辺部に限定されるものではなく、長辺部であってもよい。さらに、有孔ボード２１は、第１仕切り板部２１に限らず、第１仕切り板部２と第２仕切り板部３との双方に組み込むことが可能であるし、第２仕切り板部３のみに組み込むことも可能である。
【００５１】
以上で述べたように、本実施形態によれば、家屋１の部屋Ｒの壁面部１ａに対してこの部屋Ｒの内方側に、第１仕切り板部２と第２仕切り板部３とにより部屋Ｒの主空間Ｓｍから隔てられた副空間Ｓｔが形成される。この副空間ＳｔをテレワークスペースＳｔとして使用し、作業時における家族の生活からの分離を促すことが可能である。さらに、副空間、つまり、テレワークスペースＳｔは、壁面部１ａとは別個に設置される第１および第２仕切り板部２、３により、部屋Ｒのなかの他の空間（主空間Ｓｍを除く）に依存することなく設けることが可能である。よって、テレワーク等の作業に適した空間を、家屋１の部屋Ｒに簡易かつ自由に形成することが可能となる。
【００５２】
本実施形態によれば、さらに、以下に述べる効果を得ることができる。
【００５３】
着座した状態にある使用者の視線が第１仕切り板部２により遮蔽されるため、作業中の使用者に落ち着きを与えるとともに、使用者の集中力の増大を図ることが可能である。
【００５４】
使用者の視線よりも上方に主空間Ｓｍに通じる空隙Ｇが形成されるため、テレワークスペースＳｔの換気性を確保するとともに、テレワークスペースＳｔ外の空間、つまり、主空間Ｓｍにいる家族との適度なコミュニケーションを促しまたは維持することが可能となる。
【００５５】
テレワークスペースＳｔ、特にテーブル板部４が平面視でＬ字形状の第１仕切り板部２と第２仕切り板部３とにより三方から包囲されるため、テレワークスペースＳｔの独立性を適度に高め、作業における効率の向上を図ることが可能である。
【００５６】
部屋Ｒの床面部Ｒｆから天井部Ｒｃに亘って設けられる第２仕切り板部３により、テレワークスペースＳｔがより個室に近い状態となるため、家族の生活からの分離の更なる促進を図ることが可能である。
【００５７】
そして、第２仕切り板部３と部屋Ｒの壁面部１ａとの間に開口部Ｐが形成されるため、使用者は、この開口部Ｐを出入り口として利用し、テレワークスペースＳｔに入ったり、テレワークスペースＳｔから出たりすることが可能である。
【００５８】
第２仕切り板部３のうち、有孔ボート２２により形成された部分を小物掛けとして使用することが可能であるため、テレワークスペースＳｔの利便性を高めることができる。
【００５９】
テーブル板部４が作業用の机としてより使い勝手のよいものとなるため、テレワークスペースＳｔの利便性を高めることができる。
【００６０】
テレワークスペースＳｔがリビングルームに設けられるため、作業中に家族の気配を感じることを可能としながら、家族の生活からの分離を図ることができる。
【００６１】
図４は、本考案の他の実施形態に係る部屋構造の、図１に示すＡ方向と同じ方向の矢視図である。
【００６２】
本実施形態では、第１仕切り板部２の上部に、Ｌ字形状の第１仕切り板部２の各辺部（Ｌ字形状の長辺部および短辺部）をまたぐように、天板部２２が設けられている。この天板部２２は、花または書類等の置き台として使用することが可能である。図１は、天板部２２とテーブル板部４、第１および第２仕切り板部２、３との関係を表すため、天板部２２を二点鎖線により示す。
【符号の説明】
【００６３】
１…家屋
１ａ、１ｂ、１ｃ、１ｄ…壁面部
２…第１仕切り板部
３…第２仕切り板部
４…テーブル板部
５…椅子
５１…ソファ
５２…センターテーブル
５３…テレビ
５４…テレビ台
１１…階段
１２…窓
１３…天板部
２１…有孔ボード
２２…天板部
Ｒ…部屋
Ｒｆ…床面部
Ｒｃ…天井部
Ｓｍ…主空間
Ｓｔ…テレワークスペース（副空間）
Ｇ…空隙
Ｐ…開口部
【図１】
0003231592.tif 000003
【図２】
0003231592.tif 000004
【図３】
0003231592.tif 000005
【図４】
0003231592.tif 000006
【手続補正書】
【提出日】令和3年2月2日(2021.2.2)
【手続補正１】
【補正対象書類名】実用新案登録請求の範囲
【補正対象項目名】請求項６
【補正方法】変更
【補正の内容】
【請求項６】
前記テーブル板部は、前記奥行き方向に対して前記幅方向に長い長方形状に形成されていることを特徴とする、請求項３に記載の部屋構造。